【手続補正書】
【提出日】平成18年2月1日(2006.2.1)
【手続補正１】
【補正対象書類名】明細書
【補正対象項目名】特許請求の範囲
【補正方法】変更
【補正の内容】
【特許請求の範囲】
【請求項１】  式Ｉ：
2000063328.tif 000001
［式中、
Ａはベンゼン環であり；
Ｒ1は、飽和若しくは不飽和で、直鎖若しくは分岐鎖の脂環式又は芳香族Ｃ1−Ｃ30炭化水素残基；
１個以上のＯ及び／又はＮ原子及び／又はＣ（Ｏ）基及び／又はアルコキシ基を含有する、飽和若しくは不飽和で、直鎖若しくは分岐鎖の脂環式又は芳香族Ｃ1−Ｃ30炭化水素残基；又は
式Ｎ（Ｒ5）3＋［式中、Ｒ5は炭素数１〜３０のアルキル基である］のイオン置換基によって置換された、飽和若しくは不飽和で、直鎖若しくは分岐鎖の脂環式又は芳香族Ｃ1−Ｃ30炭化水素残基であり；
２−又は３−位置におけるＲ2は、水素、メチル基、又は式：
2000063328.tif 000002
で示される置換された複素環残基であり；
Ｒ3とＲ4は、水素、直鎖若しくは分岐鎖Ｃ1−Ｃ6アルキル又はＣ1−Ｃ6アルコシキ残基、Ｎ及び／又はＯ原子を含有する五員複素環残基、Ｃ1−Ｃ6脂環式及び／又は芳香族置換基によって置換された五員複素環残基、又は−ＯＨであり；
Ｒ2、Ｒ3及びＲ4は、同じ又は異なる基であり；
Ｘは、−ＯＨ又はＮＨＲ6を表し、Ｒ6は水素；飽和若しくは不飽和で、直鎖若しくは分岐鎖のＣ1−Ｃ20炭化水素；又は芳香族若しくは複素環残基であり；
アクリル系二重結合はＥ立体配置である］
で示される化合物の使用であって、式II：
2000063328.tif 000003
で示されるクマリンと、Ｒ1ＯＨ、Ｒ1ＨＯ及びＲ1Ｏから選ばれる化合物（式中、Ｘ1はＯ又はＮＲ6であり；Ａ及びＲ1からＲ6は、式Ｉの化合物について上記で定義したとおりの意味を有する）とを生成させるための先駆体としての使用。
【請求項２】  Ｒ2が水素又はメチル基であり；
Ｒ1が、アミルアルコール、ヘキシルアルコール、２−ヘキシルアルコール、ヘプチルアルコール、オクチルアルコール、ノニルアルコール、３−メチル−ブテ−２−エン−１−オール、３−メチル−１−ペンタノール、シス−３−ヘキセノール、シス−４−ヘキセノール、３，５，５−トリメチル−ヘキサノール、オクテ−１−エン−３−オール、シス−６−ノネノール、２，６−ノナジエン−１−オール、ベンジルアルコール、１−フェニル−エタノール、２−フェニル−エタノール、２−フェニル−プロパノール、３−フェニル−プロパノール、２−（２−メチルフェニル）−エタノール、２−フェノキシ−エタノール、２−メトキシ−４−メチル−フェノール、４−メチル−フェノール、アニシルアルコール、ｐ−トリルアルコール、シンナミルアルコール、バニリン、４−イソプロピル−シクロヘキサノール、３，３，５−トリメチル−シクロヘキサノール、２−シクロヘキシル−プロパノール及び２，６−ジメチル−ヘプタン−２−オールから選ばれるアルコールＲ1ＯＨの残基、又は
２，４−ジメチル−シクロヘキセ−３−エン−１−カルボキシアルデヒド、１−カルボキシアルデヒド−２，４−ジメチル−シクロヘキセ−３−エン、ヘプタナール、オクタナール、ノナナール、３，５，５−トリメチルヘキサナール、２−フェニル−プロパナール、４−メチル−フェニル−アセトアルデヒド及び２，３，５，５−テトラメチル−ヘキサナールから選ばれるアルデヒドＲ1ＨＯのエノール形の残基である、
請求項１に記載の、式Ｉの化合物の使用。
【請求項３】  式II：
2000063328.tif 000004
で示されるクマリンと、Ｒ1ＯＨ、Ｒ1ＨＯ及びＲ1Ｏから選ばれる嗅感性化合物とを生成させる方法であって（式中、Ｘ1、Ａ及びＲ1からＲ4は、請求項１で定義したとおりの意味を有する）、請求項１で定義された式Ｉの化合物をＵＶ光又は高温にさらすことを特徴とする方法。
【請求項４】  （Ｅ）−３−（２−ヒドロキシ−フェニル）−２−メチル−アクリル酸３，７−ジメチル−オクテ−６−エニルエステル、
（Ｅ）−３−（２−ヒドロキシ−フェニル）−２−メチル−アクリル酸フェネチルエステル、
（Ｅ）−３−（２−ヒドロキシ−フェニル）−アクリル酸デセ−９−エニルエステル、
（Ｅ）−３−（２−ヒドロキシ−フェニル）−アクリル酸２−エチル−４−（２，２，３−トリメチル−シクロペンテ−３−エニル）−ブテ−２−エニルエステル、
（Ｅ）−３−（２−ヒドロキシ−５−メチル−フェニル）−アクリル酸２−エチル−４−（２，２，３−トリメチル−シクロペンテ−３−エニル）−ブテ−２−エニルエステル、
（Ｅ）−３−（２−ヒドロキシ−５−メチル−フェニル）−アクリル酸３−メチル−５−フェニル−ペンチルエステル、
（Ｅ）−３−（４−ジエチルアミノ−２−ヒドロキシ−フェニル）−ブテ−２−エン酸デセ−９−エニルエステル、
（Ｅ）−３−（４−ジエチルアミノ−２−ヒドロキシ−フェニル）−ブテ−２−エン酸３−メチル−５−フェニル−ペンチルエステル、
（Ｅ）−３−（２−ヒドロキシ−フェニル）−アクリル酸３−（３−イソプロピル−フェニル）−ブテ−１−エニルエステル、
（Ｅ）−３−（２−ヒドロキシ−フェニル）−アクリル酸１−エトキシ−３−（３−イソプロピル−フェニル）−ブチルエステル、及び
（Ｅ）−３−（２−ヒドロキシ−フェニル）−アクリル酸３−（４−ｔｅｒｔ−ブチル−フェニル）−１−エトキシ−プロピルエステル、
から選ばれる、請求項１で定義された式Ｉの化合物。
【請求項５】  Ｒ1が、飽和若しくは不飽和で、直鎖若しくは分岐鎖の脂環式又は芳香族Ｃ10−Ｃ30炭化水素残基；
１個以上のＯ及び／又はＮ原子及び／又はＣ（Ｏ）基及び／又はアルコキシ基を含有する、飽和若しくは不飽和で、直鎖若しくは分岐鎖の脂環式又は芳香族Ｃ10−Ｃ30炭化水素残基；又は
式Ｎ（Ｒ5）3＋［式中、Ｒ5は炭素数１〜３０のアルキル基である］のイオン置換基によって置換された、飽和若しくは不飽和で、直鎖若しくは分岐鎖の脂環式又は芳香族Ｃ10−Ｃ30炭化水素残基であり；
２−又は３−位置におけるＲ2が、メチル基又は式：
2000063328.tif 000005
で示される置換された複素環残基であり；
Ｒ2、Ｒ3及びＲ4は、同じ又は異なる基であり；
Ａ、Ｒ3、Ｒ4及びＸが請求項１で定義したとおりの意味を有する、請求項１で定義された式Ｉの化合物。
【請求項６】  Ｒ1が、式Ｒ1ＯＨの嗅感性アルコールの残基；式Ｒ1ＨＯの嗅感性アルデヒドのエノール形の残基；又は、式Ｒ1Ｏの嗅感性ケトンのエノール形の残基である、請求項５に記載の化合物。
【手続補正２】
【補正対象書類名】明細書
【補正対象項目名】００１２
【補正方法】変更
【補正の内容】
【００１２】
式Ｉ化合物が室温、大気条件及び約２０〜１００％相対湿度において主に又は殆ど無臭である。しかし、活性化条件下では、式Ｉ化合物は切断される。それによって、
式Ｉａ：
【化９】
2000063328.tif 000006
で示される残基は、式ＩＩ：
【化１０】
2000063328.tif 000007
［式中、Ｘ1はＯ又はＮＲ6、Ｒ2、Ｒ3、Ｒ4は上記で定義したとおりの意味を有する］
で示されるクマリンを生成する。式ＩＩのクマリンは感覚受容性及び／又は抗微生物性及び／又は光学的増白活性を有することができる。嗅感性を有するクマリンが好ましい。Ｒ1が嗅感性アルコールの残基又は嗅感性アルデヒド若しくはケトンのエノール形の残基である場合には、切断時に上記性質を有する２種類の化合物を得ることができる。したがって、式Ｉ化合物は強化された感覚受容性及び／又は抗微生物性及び／又は光学的増白性を有する有用な消費製品の開発を可能にする。感覚受容性クマリンと、得られたアルコール又はアルデヒド又はケトンはフレグランス、フレーバー、マスキング剤及び抗微生物剤として有用である。